(57)【要約】【課題】  低照度下で自動焦点制御を行う際に、高品質でフレーミングしやすいライブビュー表示を行うようにする。【解決手段】  自動焦点制御を行う焦点制御手段と、表示部の制御を行う表示制御手段と、前記焦点制御手段による自動焦点制御に用いる画像を取得する際に発光部により発光させる補助光の発光量を演算する演算手段と、を有し、前記演算手段は、前記発光部を発光させて得られた画像に基づいて前記補助光の発光量を演算し、前記表示制御手段は、ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像は前記表示部に表示させる。【選択図】  図２
2020008807.tif 000002
【特許請求の範囲】
【請求項１】
自動焦点制御を行う焦点制御手段と、
表示部の制御を行う表示制御手段と、
前記焦点制御手段による自動焦点制御に用いる画像を取得する際に発光部により発光させる補助光の発光量を演算する演算手段と、を有し、
前記演算手段は、前記発光部を発光させて得られた画像に基づいて前記補助光の発光量を演算し、
前記表示制御手段は、ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像は前記表示部に表示させることを特徴とする撮像装置。
【請求項２】
自動焦点制御を行う焦点制御手段と、
表示部の制御を行う表示制御手段と、
前記焦点制御手段による自動焦点制御に用いる画像を取得する際に発光部により発光させる補助光の発光量を演算する演算手段と、を有し、
前記演算手段は、前記発光部を発光させて得られた画像に基づいて前記補助光の発光量を演算し、
前記表示制御手段は、ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像と前記発光部を発光させずに得られた画像とを合成した合成画像は前記表示部に表示させることを特徴とする撮像装置。
【請求項３】
前記演算手段は、前記発光部を第１の発光量で発光させて得られた画像及び前記発光部を前記第１の発光量と異なる第２の発光量で発光させて得られた画像に基づいて、前記補助光の発光量を演算することを特徴とする請求項１または２に記載の撮像装置。
【請求項４】
前記表示制御手段は、ライブビュー表示を行う際に、前記演算手段により前記補助光の発光量を演算するために用いられる前記発光部を発光させて得られた画像より後に得られた画像が表示可能になるまで、前記演算手段により前記補助光の発光量を演算するために用いられる前記発光部を発光させて得られた画像の直前に得られた画像を継続して前記表示部に表示させることを特徴とする請求項１ないし３のいずれか１項に記載の撮像装置。
【請求項５】
前記表示制御手段は、ライブビュー表示を行う際に、前記発光部を発光させずに得られた画像は前記表示部に表示させることを特徴とする請求項１ないし４のいずれか１項に記載の撮像装置。
【請求項６】
自動焦点制御を行う焦点制御手段と、前記焦点制御手段による自動焦点制御に用いる画像を取得する際に発光部により発光させる補助光の発光量を演算する演算手段と、を有し、前記演算手段は、前記発光部を発光させて得られた画像に基づいて前記補助光の発光量を演算する撮像装置で得られた画像を表示部に表示させる表示制御装置であって、
ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像は前記表示部に表示させる表示制御手段を有することを特徴とする表示制御装置。
【請求項７】
自動焦点制御を行う焦点制御手段と、前記焦点制御手段による自動焦点制御に用いる画像を取得する際に発光部により発光させる補助光の発光量を演算する演算手段と、を有し、前記演算手段は、前記発光部を発光させて得られた画像に基づいて前記補助光の発光量を演算する撮像装置で得られた画像を表示部に表示させる表示制御装置であって、
ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像と前記発光部を発光させずに得られた画像とを合成した合成画像は前記表示部に表示させる表示制御手段を有することを特徴とする表示制御装置。
【請求項８】
自動焦点制御を行う焦点制御ステップと、
表示部の制御を行う表示制御ステップと、
前記焦点制御ステップで自動焦点制御に用いる画像を取得する際に発光部により発光させる補助光の発光量を演算する演算ステップと、を有し、
前記演算ステップは、前記発光部を発光させて得られた画像に基づいて前記補助光の発光量を演算し、
前記表示制御ステップは、ライブビュー表示を行う際に、前記演算ステップで前記補助光の発光量を演算するために用いられる前記発光部を発光させて得られた画像は前記表示部に表示させず、前記演算ステップで演算された発光量で補助光を発光させて得られた画像は前記表示部に表示させることを特徴とする撮像装置の制御方法。
【請求項９】
自動焦点制御を行う焦点制御ステップと、
表示部の制御を行う表示制御ステップと、
前記焦点制御ステップで自動焦点制御に用いる画像を取得する際に発光部により発光させる補助光の発光量を演算する演算ステップと、を有し、
前記演算ステップは、前記発光部を発光させて得られた画像に基づいて前記補助光の発光量を演算し、
前記表示制御ステップは、ライブビュー表示を行う際に、前記演算ステップで前記補助光の発光量を演算するために用いられる前記発光部を発光させて得られた画像は前記表示部に表示させず、前記演算ステップで演算された発光量で補助光を発光させて得られた画像と前記発光部を発光させずに得られた画像とを合成した合成画像は前記表示部に表示させることを特徴とする撮像装置の制御方法。
【請求項１０】
自動焦点制御を行う焦点制御手段と、前記焦点制御手段による自動焦点制御に用いる画像を取得する際に発光部により発光させる補助光の発光量を演算する演算手段と、を有し、前記演算手段は、前記発光部を発光させて得られた画像に基づいて前記補助光の発光量を演算する撮像装置で得られた画像を表示部に表示させる表示制御方法であって、
ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像は前記表示部に表示させることを特徴とする表示制御方法。
【請求項１１】
自動焦点制御を行う焦点制御手段と、前記焦点制御手段による自動焦点制御に用いる画像を取得する際に発光部により発光させる補助光の発光量を演算する演算手段と、を有し、前記演算手段は、前記発光部を発光させて得られた画像に基づいて前記補助光の発光量を演算する撮像装置で得られた画像を表示部に表示させる表示制御方法であって、
ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像と前記発光部を発光させずに得られた画像とを合成した合成画像は前記表示部に表示させることを特徴とする表示制御方法。
【発明の詳細な説明】
【技術分野】
【０００１】
本発明は、焦点制御用の補助光発光時の画像表示に関する。
【背景技術】
【０００２】
近年、記録用画像を取得する撮像センサによって取得した画像を用いて自動焦点制御（Ａｕｔｏ  Ｆｏｃｕｓ：ＡＦ）を行う、いわゆる撮像面ＡＦ技術が知られている。この撮像面ＡＦ実行時において、暗所などでは補助光を発光させる場合がある。ストロボ等の発光手段を用いて被写体を明るくして撮影する撮像装置においては、補助光としてストロボ等の発光手段を用いることができる。
【０００３】
ストロボ等の閃光発光を間欠的に行う光源の場合、補助光発光時の画像のライブビュー表示を行うとライブビュー表示の品質が低下する場合がある。そこで、特許文献１では、赤目防止用の発光を撮像面の非露光期間に行うことで、ライブビュー表示には発光による輝度変化が表示されないようにしている。
【先行技術文献】
【特許文献】
【０００４】
【特許文献１】特開２００４−７２２３７号公報
【発明の概要】
【発明が解決しようとする課題】
【０００５】
しかしながら、補助光なしでのＡＦが困難な低照度下で補助光を閃光発光にて発光させる場合、撮影者にとってフレーミングしやすくするためには、補助光発光時の画像をライブビュー表示することが望ましい。
【０００６】
そこで、本発明は、低照度下で自動焦点制御を行う際に、高品質でフレーミングしやすいライブビュー表示を行うことを目的とする。
【課題を解決するための手段】
【０００７】
上記課題を解決するために、本発明にかかる撮像装置は、自動焦点制御を行う焦点制御手段と、表示部の制御を行う表示制御手段と、前記焦点制御手段による自動焦点制御に用いる画像を取得する際に発光部により発光させる補助光の発光量を演算する演算手段と、を有し、前記演算手段は、前記発光部を発光させて得られた画像に基づいて前記補助光の発光量を演算し、前記表示制御手段は、ライブビュー表示を行う際に、前記演算手段により前記補助光の発光量を演算するために用いられる前記発光部を発光させて得られた画像は前記表示部に表示させず、前記演算手段により演算された発光量で補助光を発光させて得られた画像は前記表示部に表示させることを特徴とする。
【発明の効果】
【０００８】
本発明によれば、低照度下で自動焦点制御を行う際に、高品質でフレーミングしやすいライブビュー表示を行うことができる。
【図面の簡単な説明】
【０００９】
【図１】本発明の第１の実施形態にかかる撮像装置のブロック図である。
【図２】本発明の第１の実施形態にかかる自動焦点制御用の補助光制御を含むタイミングチャートを示す図である。
【図３】本発明の第２の実施形態にかかる自動焦点制御用の補助光制御を含むタイミングチャートを示す図である。
【発明を実施するための形態】
【００１０】
（第１の実施形態）
以下に、本発明の好ましい実施の形態を添付の図面に基づいて詳細に説明する。図１は、第１の実施形態の表示制御装置を実現する一つの例である撮像装置１００の基本構成を示すブロック図である。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１１】
撮像装置１００は、デジタルカメラ、デジタルビデオカメラのようなカメラはもとより、カメラ機能付き携帯電話、カメラ付きコンピュータなど、カメラ機能を備える任意の電子機器であってもよい。光学系１０１は、フォーカスレンズを含むレンズ群、シャッター、絞りから構成されており、カメラ制御部１０４の制御によって被写体からの光を撮像素子１０２に結像させる。ＣＣＤイメージセンサ、ＣＭＯＳイメージセンサなどの撮像素子１０２は、光学系１０１を通って結像した光を画像信号に変換する。
【００１２】
焦点検出回路１０３は、例えば撮像素子１０２により得られた画像を用いて自動焦点制御するための信号値を生成する回路である。カメラ制御部１０４は焦点制御部１１６を用いて、焦点検出回路１０３出力の信号値に基づき、被写体が合焦するように光学系１０１に含まれるフォーカスレンズを制御する。なお、自動焦点制御するための信号値は、例えば画像のコントラスト値や位相差検出によるデフォーカス量など、自動焦点制御における公知の信号値でよい。
【００１３】
カメラ制御部１０４は、入力された信号や予めメモリに記憶されたプログラムに従い、撮像装置１００を構成する各部を制御することで、撮像装置１００の機能を実現させる。一次記憶装置１０５は、例えばＲＡＭのような揮発性装置であり、一時的なデータを記憶し、カメラ制御部１０４の作業用に使われる。また、一次記憶装置１０５は、発光量演算部１１０で計算された発光量や、発光上限回数演算部１１１で計算された発光上限回数の保持のためや、記録媒体１０７へ記録する情報保持に利用される。二次記憶装置１０６は、例えばＥＥＰＲＯＭのような不揮発性記憶装置であり、撮像装置１００を制御するためのプログラム（ファームウェア）や各種の設定情報を記憶し、カメラ制御部１０４によって利用される。
【００１４】
記録媒体１０７は、一次記憶装置１０５に記憶されている、撮影により得られた画像のデータなどを記録する。なお、記録媒体１０７は、例えば半導体メモリカードのように撮像装置１００から取り外し可能であり、記録されたデータはパーソナルコンピュータなどに装着してデータを読み出すことが可能である。つまり、撮像装置１００は、記録媒体１０７の着脱機構及び読み書き機能を有する。
【００１５】
表示部１０８は、液晶や有機ＥＬなどの表示パネルを有し、画像のライブビュー表示、撮影した画像の再生表示、対話的な操作のためのＧＵＩ画像などの表示を行う。操作部１０９は、ユーザの操作を受け付けてカメラ制御部１０４へ入力情報を伝達する入力デバイス群であり、例えばボタン、レバー、タッチパネル等、音声や視線などを用いた入力機器であってもよい。
【００１６】
カメラ制御部１０４は、発光制御部１１４に制御信号を送り、発光部１１３および外部アクセサリ通信部１１２を制御する。発光部１１３は撮像装置１００に内蔵されているＬＥＤやキセノン管を光源とする発光部であり、外部アクセサリ通信部１１２は撮像装置１００に取り付けられた外部アクセサリ、例えば外付けストロボなどと通信する。外部アクセサリが外付けストロボの場合には、発光制御部１１４は外部アクセサリ通信部１１２を介して外付けストロボを制御する。カメラ制御部１０４と発光制御部１１４は、共通のタイマ制御部１１５と接続されており、共通のタイミング信号が入力される。
【００１７】
発光量演算部１１０は、発光部１１３、もしくは、外部アクセサリ通信部１１２により制御された外部ストロボ等を発光させた際の反射光から、自動焦点制御時の補助光（ＡＦ補助光）や撮影時の発光（本発光）に必要な発光量を求める。なお、発光時の反射光から発光量を求める方法は公知の方法でよく詳細の説明は省略する。発光上限回数演算部１１１では、発光量演算部１１０により求められた発光量を元に本発光に必要な充電容量を計算し、その充電量を残せるようなＡＦ補助光発光上限回数を算出する。求められた発光上限回数は一次記憶装置１０５に保持され、カメラ制御部１０４が発光制御を行う際に利用される。
【００１８】
次に、焦点制御用の補助光発光時の画像表示について説明する。図２は、自動焦点制御用の補助光制御を含むタイミングチャートを示す図である。図２では、撮像素子１０２からの画像信号の読み出しを指示するＶＤ信号によって各画像の露光期間が設定され、フレーム１〜１０の各露光期間にそれぞれ１枚の画像が対応することを示している。以降、フレーム１〜１０の各露光期間に対応する画像をそれぞれフレーム画像１〜１０とする。
【００１９】
フレーム１及び２は、発光を行っていないフレームである。カメラ制御部１０４は撮像素子１０２より得られた画像信号に基づく画像を表示部１０８に逐次表示することにより、ユーザにライブビュー表示を提供している。低照度下でのライブビュー表示においては、撮像素子１０２の読出し感度を使用可能な最大感度まで上げ、さらに明るさが不足する場合は撮像フレームレートを一定の範囲で変化させて露光時間を確保する工夫を行っている。この期間に撮像素子１０２より得られた画像信号に基づく画像は表示部１０８に表示可能である。カメラ制御部１０４は、ユーザの操作部１０９の操作により撮影準備指示またはＡＦ指示を受けると、焦点制御部１１６がＡＦ動作を開始する。焦点制御部１１６は、フレーム画像１、フレーム画像２の輝度レベルを評価し、所定値以下であればＡＦ補助光発光要求信号を発生させる。カメラ制御部１０４は、焦点制御部１１６からのＡＦ補助光発光要求信号を受け、ＡＦ補助光制御シーケンスを開始する。
【００２０】
フレーム３及び４では、ＡＦを行う際に必要な発光部１１３、もしくは外部ストロボの補助光発光量を求めるための調光制御を行うフレームである。カメラ制御部１０４は、発光制御部１１４により、フレーム３では第１の発光量を、フレーム４では第１の発光量よりも大きな第２の発光量を発光するように制御する。第１の発光量は、二次記憶装置１０６内に保持された設計値であり、例えば開放絞り値Ｆ５．６のレンズを装着し、ＩＳＯ３２００で暗中で距離１ｍの被写体をＡＦできるＧｎｏ値としている。第２の発光量は、同露出条件で暗中で距離１０ｍの被写体をＡＦできるＧｎｏ値としている。このように、近距離被写体に対応する第１の発光量と遠距離被写体に対応する第２の発光量で２回発光を行うことで、被写体の距離によらず補助光発光量を求めるための調光制御を精度よく行うことができる。
【００２１】
また、撮像素子１０２の露出値も設計値に従い、例えば開放絞り値Ｆ５．６のレンズを装着し、ＩＳＯ３２００で、露光時間は１／６０など低照度下非発光ではアンダーとなる露出値を使用し、撮像素子１０２のフレームレートを上げている。
【００２２】
この調光制御フレームの２フレーム（フレーム３、フレーム４）で得られたフレーム画像３、フレーム画像４から、推定被写体領域の輝度レベルを評価する。そして、評価結果に基づいて、例えば補助光ＡＦ制御時に使用予定のＩＳＯ値がＩＳＯ３２００のとき、ＩＳＯ３２００でＡＦに適した補助光発光量である第３の発光量を決定する。第３の発光量の決定方法は上述のように公知の方法でよく、フレーム画像３、フレーム画像４の両方を用いてもよいし、推定被写体領域の輝度レベルがより精度よく評価できるいずれか一方だけ用いてもよい。
【００２３】
このとき、第３の発光量が、発光部１１３、もしくは外部ストロボ等の最大発光量よりも大きい場合、撮像素子１０２の露出設定も含めて調節を行う。具体的には、例えば補助光ＡＦ制御時に使用するＩＳＯ値を予め設定されていたＩＳＯ３２００よりも高い値（例えばＩＳＯ６４００）に設定し、使用する補助光発光量を第３の発光量よりも小さく最大発光量以下である発光量（例えば第３の発光量の半分）とする。
【００２４】
フレーム画像３、フレーム画像４は調光制御フレームで得られた画像であるため、明るさがフレーム画像２と異なり、かつ、互いの画像の明るさも異なる。そのため、フレーム画像２に続いてフレーム画像３、フレーム画像４をライブビュー表示させるとちらつきが生じるので、カメラ制御部１０４は、フレーム画像３、フレーム画像４を表示部１０８に表示させない。そして、フレーム画像４の後に得られる画像が表示可能になるまでフレーム３の直前に得られた画像であるフレーム画像２を継続して表示させる。
【００２５】
フレーム５の露光期間で、カメラ制御部１０４は、補助光発光量及び補助光発光時の露出値の決定を行う。フレーム５では発光部１１３や外部ストロボ等の発光は行わず、フレーム１及び２と同等の露出値を用いてフレーム画像５を取得する。取得されたフレーム画像５は、フレーム画像２に続けて表示部１０８に表示される。
【００２６】
図２では、フレーム６〜９でＡＦ補助光制御を行っている。フレーム６でカメラ制御部１０４は、発光制御部１１４を用いて発光部１１３、もしくは、外部ストロボ等を発光するように制御する。このときの発光量及び露出値はフレーム５にて決定した値を用いる。カメラ制御部１０４は、フレーム６で取得されたフレーム画像６に基づいて、焦点制御部１１６を用いてＡＦを行う。また、カメラ制御部１０４は、フレーム画像６をフレーム画像５に続けて表示部１０８に表示させる。
【００２７】
フレーム７〜９もフレーム６と同様の制御を行う。すなわち、フレーム７〜９も補助光の発光を行い、得られたフレーム画像７〜９を表示部１０８に表示させる。フレーム画像６〜９は、調光された発光量で補助光を発光させて得られた画像であるため、画像の明るさは略等しいのでライブビュー表示させてもちらつきは抑えられる。また、補助光が照射された複数の画像が継続してライブビュー表示されるため、低照度下でもフレーミングしやすい。
【００２８】
なお、フレーム画像６〜９は、補助光の発光を行って得られた画像であるため、カメラ制御部１０４は、補助光の色温度に基づいてホワイトバランス調整を行う。
【００２９】
また、フレーム６〜９の間、カメラ制御部１０４は焦点制御部１１６によりＡＦを行っているため、光学系１０１に含まれるフォーカスレンズは逐次動いている。光学系１０１に含まれるフォーカスレンズが動くことにより、露出値を同じにしていても画像の輝度レベルが変動することがある。また、ストロボ光が照射されている被写体に焦点が合って行くことにより画像の輝度レベルが変動することがある。そこで、カメラ制御部１０４は、補助光が発光されたフレーム画像の輝度レベルを評価し、評価後に補助光を発光させるフレームにおける補助光発光量を変更させてもよい。
【００３０】
以上のように、本実施形態では、自動焦点制御の補助光の発光量を決定するための発光が行われた発光画像はライブビュー表示させず、自動焦点制御の補助光の発光が行われた発光画像はライブビュー表示させている。これにより、低照度下で自動焦点制御を行う際に、高品質でフレーミングしやすいライブビュー表示を行うことができる。
【００３１】
（第２の実施形態）
次に、第２の実施形態について図３を用いて説明する。図３は、第２の実施形態にかかる自動焦点制御用の補助光制御を含むタイミングチャートを示す図である。本実施形態は第１の実施形態と異なり、発光が行われていない非発光画像と補助光の発光が行われた発光画像とを合成した合成画像をライブビュー表示させる。第１の実施形態のように、補助光の発光が行われた発光画像をライブビュー表示させる構成では、補助光が当たっている被写体に対してはフレーミングしやすいが、補助光が当たっていない領域は暗いため全体的にはフレーミングしにくい。そのため、本実施形態では、露出（ＩＳＯ感度を含む）を上げて得られた非発光画像の補助光が当たっていない領域と、発光画像の補助光が当たっている被写体とを合成して全体的に明るい画像を生成し、生成した合成画像をライブビュー表示させる。
【００３２】
図３のように、フレーム５では発光を行っていないため得られるフレーム画像５は非発光画像となる。一方、フレーム６〜９では補助光の発光を行っているため得られるフレーム画像６〜９は発光画像となる。
【００３３】
そこで、フレーム画像５とフレーム画像６とを合成した画像をフレーム画像５に続いてライブビュー表示させる。その後は、最新の発光画像とフレーム５とを合成した画像をライブビュー表示させる。
【００３４】
以上のように、本実施形態では、自動焦点制御の補助光の発光量を決定するための発光が行われた発光画像はライブビュー表示させず、自動焦点制御の補助光の発光が行われた発光画像はライブビュー表示させている。これにより、低照度下で自動焦点制御を行う際に、高品質でフレーミングしやすいライブビュー表示を行うことができる。さらに、補助光の発光が行われた発光画像に非発光画像を合成させてライブビュー表示させることで、全体的にフレーミングしやすいライブビュー表示を行うことができる。
【００３５】
以上、本発明の好ましい実施形態について説明したが、本発明はこれらの実施形態に限定されず、その要旨の範囲内で種々の変形及び変更が可能である。
【００３６】
例えば、上記の２つの実施形態では、補助光の発光量を決定するために第１の発光量と第２の発光量で２回発光を行っているが、１回でも３回以上であってもよい。
【００３７】
また、上記の２つの実施形態では、補助光の発光回数は発光上限回数演算部１１１で計算された回数であるが、予め決められていてもよいし、カメラ制御部１０４が被写体に焦点があったか否かに基づいて補助光の発光停止を判断してもよい。
【００３８】
また、上記の２つの実施形態では、撮像装置１００が備える表示部１０８の表示制御を行っているが、本発明は、撮像装置１００とは分離された表示装置の表示部の表示制御にも適用できる。そのような構成の場合、上記の２つの実施形態にて撮像装置１００のカメラ制御部１０４が実行していた処理の一部を表示装置の制御部が実行するようにすればよい。このような構成では、表示装置が表示制御装置として機能する。
【符号の説明】
【００３９】
１００  撮像装置
１０１  光学系
１０２  撮像素子
１０３  焦点検出回路
１０４  カメラ制御部
１０８  表示部
１１０  発光量演算部
１１２  外部アクセサリ通信部
１１３  発光部
１１４  発光制御部
１１６  焦点制御部
【図１】
2020008807.tif 000003
【図２】
2020008807.tif 000004
【図３】
2020008807.tif 000005